(57)【要約】      （修正有）【課題】フリッカー状の光学効果を生成する光学デバイスを提供する。【解決手段】光学デバイスは、硬化された有色素材料２６，３２，３８から形成される画像アイコンの少なくとも１つの配列と、画像アイコンの配列（１つ又は複数）の少なくとも一部の、１つ以上の合成画像を形成するために配置される、埋め込まれる集光要素の配列１２とから構成される。有色素材料（１つ又は複数）のうちのいくつか又は全ては、光学デバイスの表面に対する１つ以上の角度において、集光要素を通して画像アイコンの配列（１つ又は複数）に向けて方向付けられる、コリメート光を使用して硬化されて、指向性硬化された画像アイコンを形成する。硬化された画像アイコンの合成画像（１つ又は複数）は、硬化角（１つ又は複数）において見ることができ、デバイスの視角が硬化角（１つ又は複数）を通って移動するにつれて視覚的に出現及び消失する、すなわちオン及びオフになる。【選択図】図７
2020052401.tif 000002
【特許請求の範囲】
【請求項１】
フリッカー状の光学効果を生成する光学デバイスであって、
前記光学デバイスは、１つ以上の硬化された有色素材料から形成される画像アイコンの少なくとも１つの配列と、画像アイコンの前記少なくとも１つの配列の少なくとも一部の、１つ以上の合成画像を形成するために配置される、必要に応じて埋め込まれる集光要素の少なくとも１つの配列とを備え、
前記１つ以上の有色素材料のうちのいくつか又は全ては、前記光学デバイスの表面に対する１つ以上の角度において、前記集光要素を通して方向付けられる、コリメート光を使用して硬化されて、指向性硬化された画像アイコンを形成し、
前記指向性硬化された画像アイコンの前記１つ以上の合成画像は、１つ以上のコリメート光硬化角において見ることができ、従って、前記光学デバイスの視角がこれらの角度を通って移動するにつれて視覚的に出現及び消失し、オン及びオフになる、光学デバイス。
【請求項２】
前記画像アイコンは、前記光学デバイスの表面上又は表面内の柱、前記光学デバイスの表面上又は表面内の空隙又は凹部、あるいはこれらの組み合わせ、の群から選択される、請求項１に記載の光学デバイス。
【請求項３】
前記光学デバイス内の画像アイコンの１つの配列又は層内で、マイクロサイズの画像アイコン及びナノサイズの画像アイコンが互いに整合された、請求項１に記載の光学デバイス。
【請求項４】
画像アイコンの前記少なくとも１つの配列内の各画像アイコンは、１つの硬化された有色素材料から形成され、前記有色素材料は、所与の角度におけるコリメート光を使用して硬化される、請求項１に記載の光学デバイス。
【請求項５】
画像アイコンの前記少なくとも１つの配列内の各画像アイコンは、２つの硬化された有色素材料であって、それぞれが異なる色を有し、それぞれが異なる角度におけるコリメート光を使用して硬化された、２つの硬化された有色素材料から形成される、請求項１に記載の光学デバイス。
【請求項６】
請求項５に記載の前記光学デバイスを製造する方法であって、
色付き有色素材料を１つの角度からのコリメート光を使用して硬化させ、未硬化の有色素材料を前記光学デバイスから洗浄し、次に第２の色付き有色素材料を追加し、異なる角度においてそれを硬化させること、を含む方法。
【請求項７】
画像アイコンの前記少なくとも１つの配列内の各画像アイコンは、１つの硬化された蛍光有色素材料から、及び１つの硬化された非蛍光有色素材料から形成される、請求項１に記載の光学デバイス。
【請求項８】
請求項１に記載の前記光学デバイスを備え、かつ前記光学デバイスの上及び下のうちの少なくとも一方に位置する１つ以上の層を必要に応じて備え、
前記光学デバイスの少なくとも１つの配列又は層、あるいは前記光学デバイスの上又は下の少なくとも１つの層は、レーザマーキング可能な配列又は層である、レーザマーキング可能な光学デバイス。
【請求項９】
前記レーザマーキング可能な光学デバイスは、レーザマーキング可能な層である少なくとも１つの層を前記光学デバイスの下に有し、
前記光学デバイスの画像アイコンの前記少なくとも１つの配列は、１つ以上の硬化された有色素材料と、１つ以上の硬化された無着色材料とから形成される、請求項８に記載のレーザマーキング可能な光学デバイス。
【請求項１０】
請求項１に記載の前記光学デバイスを備え、かつ前記光学デバイスの上及び下のうちの少なくとも一方に位置する１つ以上の層を必要に応じて備え、
前記光学デバイスの少なくとも１つの配列又は層、あるいは前記光学デバイスの上又は下の少なくとも１つの層は、レーザマーキング可能な配列又は層であり、
少なくとも１つのレーザマーキング可能な配列又は層は、１つ以上のレーザマーキングされた静止２次元画像をその上に有する、レーザマーキングされた光学デバイス。
【請求項１１】
前記レーザマーキングされた光学デバイスは、レーザマーキング可能な層である少なくとも１つの層を前記光学デバイスの下に有し、
前記光学デバイスの画像アイコンの前記少なくとも１つの配列は、１つ以上の硬化された有色素材料と、１つ以上の硬化された無着色材料とから形成される、請求項１０に記載のレーザマーキングされた光学デバイス。
【請求項１２】
コリメート硬化エネルギーが印加された１つ又は複数の角度とは異なる角度において、前記光学デバイス内に又は前記光学デバイスの下にレーザエネルギーを方向付けることを含む、請求項８に記載の前記レーザマーキング可能な光学デバイスをレーザマーキングする方法。
【請求項１３】
請求項１に記載の前記光学デバイスから作られたか又は請求項１に記載の前記光学デバイスを使用した、シート材料。
【請求項１４】
請求項１３に記載の前記シート材料から作られた、文書。
【請求項１５】
請求項１に記載の前記光学デバイスから作られたか又は請求項１に記載の前記光学デバイスを使用した、ベースプラットフォーム。
【請求項１６】
請求項１５に記載の前記ベースプラットフォームから作られた、文書。
【請求項１７】
ポリマーＩＤカードであって、請求項１に記載の前記光学デバイスを、前記ポリマーＩＤカード内に埋め込まれたパッチの形態で備える、ポリマーＩＤカード。
【発明の詳細な説明】
【技術分野】
【０００１】
本出願は２０１４年３月２７日出願の米国特許仮出願第６１／９７１，２４０号の優先権を主張するものであり、当該出願は参照によってその全体が本明細書中に援用される。
【０００２】
本発明は一般に、フリッカー状の光学効果を生成する光学デバイスに関し、特に、指向性硬化された（ｄｉｒｅｃｔｉｏｎａｌｌｙ  ｃｕｒｅｄ）画像アイコンを使用する光学デバイスに関する。
【背景技術】
【０００３】
合成画像を投影するマイクロ光学フィルム材料は一般に、マイクロサイズの画像アイコンの配列と、集光要素（例えば、マイクロレンズ、マイクロリフレクタ）の配列と、必要に応じて、光透過性のポリマー基板とを含む。画像アイコン及び集光要素の配列は、画像アイコンの配列が集光要素の配列を使用して見られる場合に、１つ以上の合成画像が投影されるように構成される。投影される画像はいくつかの異なる光学効果を示し得る。
【０００４】
これらのマイクロ光学フィルム材料は、紙幣、セキュア文書及び製品の認証のためのセキュリティデバイスとして使用可能である。紙幣及びセキュア文書に関しては、これらの材料は一般にストリップ、パッチ、又はスレッドの形態で使用され、紙幣又は文書内に部分的に埋め込まれるか又はその表面に貼付され得る。パスポート又はその他の身分証明（ＩＤ）文書に関しては、これらの材料は、パスポート又はその他のＩＤ文書の表面の全面ラミネート又はインレーとして使用され得る。製品パッケージに関しては、これらの材料は一般にラベル、シール、又はテープの形態で使用され、製品パッケージの表面に貼付される。
【０００５】
マイクロ光学フィルム材料の例は、米国特許第７，７３３，２６８号明細書及び米国特許第７，４６８，８４２号明細書において説明され図示されている。これらの両方の参照文献には、画像アイコンを形成するマイクロ構造アプローチが記載されており、このアプローチでは、画像アイコンがマイクロ構造内の空隙から、又は立体（ｓｏｌｉｄ）領域から、単独で又は組み合わせて形成される。空隙は必要に応じて、周囲の又は基礎をなす材料とは異なる屈折率を有する材料、染色された材料、金属、又は有色素材料を用いて充填されるか又はコーティングされる。そのようなアプローチは、ほとんど無制限の空間解像度という利点を有する。
【０００６】
これらのマイクロ光学フィルム材料を製造する例示的方法では、７５ゲージ接着促進ポリエチレンテレフタレート（ＰＥＴ）フィルムなどのベースフィルムに対してキャストされる放射線硬化液体ポリマー内の空隙としてアイコンを形成し、次にベースフィルムの反対面上に、アイコンと正しく位置合わせするか又はスキューさせて、放射線硬化ポリマーからレンズを形成し、次にフィルム表面に対するグラビア様のドクターブレーディングによって、サブミクロン粒子有色素着色材料を用いてアイコン空隙を充填し、充填を好適な手段（例えば、溶剤除去、放射線硬化、又は化学反応）によって凝固させ、最後に、透明な、染色された、有色素の、又は秘密のセキュリティ材料を含む、省略可能なシーリング層を適用する。ここで、充填を凝固させる手段は非指向性（ｎｏｎ−ｄｉｒｅｃｔｉｏｎａｌ）であり、画像アイコン層に直接かつレンズを通さずに適用される。そのような非指向性硬化された（ｎｏｎ−ｄｉｒｅｃｔｉｏｎａｌｌｙ  ｃｕｒｅｄ）アイコンの合成画像は、広い角度範囲にわたって見ることができる。
【０００７】
アイコン空隙は複数のアイコン充填材料を含んでもよい。例えば、米国特許第７，４６８，８４２号明細書の４９欄第３６行目〜６３行目において、アイコン空隙は第１のアイコン充填材料を用いてアンダーフィルされ、必要に応じて（例えば放射線硬化によって）安定化される。アイコン空隙は次に、必要に応じて第２のアイコン充填材料を用いて充填される。この例では、アイコン充填材料は、アイコン充填材料に直接かつレンズを通さずに適用される非指向性硬化などの、非指向性技法によって安定化される。
【０００８】
マイクロ光学フィルム材料の別の例は、米国特許第７，７３８，１７５号明細書から知られている。この参照文献では、フリッカー状の光学効果を生成する合成マイクロ光学システムが開示されている。このシステムは、画像アイコンのアレイ又はパターンと集光要素のアレイとから形成される面内画像を生成する。ここで面内画像は、面内画像をその上又は中に担持する基板の実質的に面内に視覚的に存在する、何らかの視覚的境界、パターン、又は構造を有する画像、と定義される。このシステムは少なくとも１つの面外合成画像も生成し、面外合成画像（１つ又は複数）は面内合成画像の出現の程度を調整又は制御するように働く。一実施形態では、面外合成画像は面内画像の視野を制御する働きをし、従って面内画像の出現の程度を調整又は制御する働きをする。ここで、面内画像の外観は、システムの視角に応じて視覚的に出現及び消失する、すなわちオン及びオフになる。
【先行技術文献】
【特許文献】
【０００９】
【特許文献１】米国特許第７，７３３，２６８号明細書
【特許文献２】米国特許第７，４６８，８４２号明細書
【特許文献３】米国特許第７，７３８，１７５号明細書
【発明の概要】
【課題を解決するための手段】
【００１０】
本発明によって、コリメート光（ｃｏｌｌｉｍａｔｅｄ  ｌｉｇｈｔ）を使用し、レンズ層を通してこれらのフィルム材料の画像アイコン層を指向性硬化することにより、これらの材料によって示される光学効果の範囲が大幅に増加するということが発見された。
【００１１】
従って本発明は、フリッカー状の光学効果を生成する光学デバイスを提供し、この光学デバイスは、１つ以上の硬化された有色素材料から形成される画像アイコンの少なくとも１つの配列と、画像アイコンの配列（１つ又は複数）の少なくとも一部の、１つ以上の合成画像を形成するために配置される、必要に応じて埋め込まれる集光要素の少なくとも１つの配列とを含み、ここで、有色素材料（１つ又は複数）のうちのいくつか又は全ては、光学デバイスの表面に対する１つ以上の角度（以下、「硬化角（１つ又は複数）」と呼ぶ）において、集光要素を通して方向付けられる、コリメート光を使用して硬化されて、指向性硬化された画像アイコンを形成し、ここで、指向性硬化された画像アイコンの合成画像（１つ又は複数）は、硬化角（１つ又は複数）において見ることができ、従って、デバイスの視角が硬化角（１つ又は複数）を通って移動するにつれて視覚的に出現及び消失する、すなわちオン及びオフになる。
【００１２】
本明細書中で使用される用語「有色素材料（ｐｉｇｍｅｎｔｅｄ  ｍａｔｅｒｉａｌ）」は、本発明のデバイスの画像アイコンに、及び合成画像（１つ又は複数）に色を付与することが可能な任意の材料であって、コリメート光によって硬化可能な任意の材料を意味することが意図されている。企図される一実施形態では、有色素材料は、硬化性顔料分散（ｃｕｒａｂｌｅ  ｐｉｇｍｅｎｔ  ｄｉｓｐｅｒｓｉｏｎ）（すなわち、硬化性の媒体又はキャリア内の顔料粒子）である。
【００１３】
以下でより詳細に説明するように、本発明の光学デバイスによって投影される合成画像（１つ又は複数）は、デバイスの面に実質的に平行な軸の周りでデバイスが傾けられた場合に、いくつかの別個の視覚効果を示し得る。例えば、合成画層（１つ又は複数）は、視差直交移動（ｏｒｔｈｏｐａｒａｌｌａｃｔｉｃ  ｍｏｖｅｍｅｎｔ、ＯＰＭ）（すなわち、デバイスが傾けられた場合、画像は、通常の視差によって予想される方向に対して垂直に見える傾きの方向に移動する）を示してもよい。フリッカー状の光学効果を生成する上述の従来技術のマイクロ光学システムとは異なり、本発明によって投影される画像（１つ又は複数）は、デバイスの実質的に面内に視覚的に存在する画像では必ずしもなく、デバイスの厚さより視覚的に奥深くの空間平面上にあるように見えてもよく、又はデバイスの表面の上方に離れた空間平面上にあるように見えてもよい。画像（１つ又は複数）はまた、デバイスが所与の角度（例えば９０度）にわたって回転された場合に、デバイスの上方の位置からデバイスの下方の位置に振れるか又は逆に振れ、デバイスが同じ角度だけ更に回転された場合に元の位置に戻ってもよい。
【００１４】
１つ以上の硬化された有色素材料を使用して作製される本発明の画像アイコンは、本発明の光学デバイスの表面上又は表面内の、柱の形態あるいは空隙又は凹部の形態で作られてもよい。柱は有色素材料（１つ又は複数）から形成されてもよく、あるいは、柱又は空隙又は凹部を取り囲む領域は、有色素材料（１つ又は複数）を用いてコーティングされるか又は部分的に又は完全に充填されてもよい。アイコンのサイズ、形態、及び形状は限定されない。実際に、本発明のデバイス内の画像アイコンの１つの配列又は層内で、２つ以上のタイプの画像アイコン（例えば、マイクロサイズ及びナノサイズの画像アイコン）が互いに整合された（ｉｎ  ｒｅｇｉｓｔｅｒ  ｗｉｔｈ）実施形態が企図される。
【００１５】
一例示的実施形態では、画像アイコンの配列（１つ又は複数）内の各画像アイコンは、１つの硬化された有色素材料から形成され、有色素材料は、所与の角度におけるコリメート光を使用して硬化される。この実施形態において、合成画像（１つ又は複数）は硬化角（ｃｕｒｅ  ａｎｇｌｅ）において見ることができる。言い換えると、投影される合成画像（１つ又は複数）は、デバイスの視角が硬化角を通って移動するにつれて明滅する、すなわちオン及びオフになる。
【００１６】
２つ以上の有色素材料から形成される画像アイコンは、各材料をコリメート光を用いて硬化させることによって、又は１つの材料をコリメート光を用いて硬化させ、別の材料を別の硬化手段（例えば、非指向性放射線硬化、化学反応）を用いて硬化させることによって作製されてもよい。指向性硬化された有色素材料から形成された合成画像は、硬化角（１つ又は複数）において見ることができ、非指向性硬化された有色素材料から形成された合成画像は、広い角度範囲にわたって見ることができる。本発明の実施において使用される画像アイコンの配列（１つ又は複数）は、非指向性硬化された有色素材料から全体が形成された従来技術の画像アイコンも含んでもよいということに留意されたい。
【００１７】
そのような一例示的実施形態では、画像アイコンの配列（１つ又は複数）内の各画像アイコンは、それぞれが異なる色を有する２つの硬化された有色素材料から形成される。各有色素材料は、他の有色素材料を硬化させるために使用される角度とは異なる角度におけるコリメート光を使用し、集光要素を通して硬化される。この例示的実施形態における光学デバイスは、第１の硬化角において見ることができる第１の色の合成画像（１つ又は複数）と、第２の硬化角において見ることができる第２の色の合成画像（１つ又は複数）とを投影する。
【００１８】
この例示的実施形態は、色付き有色素材料を１つの角度からのコリメート光を使用して硬化させ、未硬化の有色素材料をデバイスから洗浄し、次に第２の色付き有色素材料を追加し、それを硬化させることによって製造されてもよい。容易に理解されるように、多数の色付き有色素材料がこのようにして追加されてもよい。
【００１９】
別のそのような例示的実施形態では、画像アイコンの配列（１つ又は複数）内の各画像アイコンは、１つの硬化された蛍光有色素材料から、及び１つの硬化された非蛍光有色素材料から形成される。容易に理解されるように、所与の角度においてのみ検出可能であり別の所与の角度においては検出可能ではない蛍光特徴は、効果的な機械読み取り可能認証特徴として働き得る。
【００２０】
好ましい実施形態では、本発明の光学デバイスは、１つ以上のセキュリティ印刷特徴（例えばテキスト、写真）を有するＩＤカードと共に使用される。セキュリティ印刷特徴（１つ又は複数）は、選ばれた視角において可視となり、本発明のデバイスによって投影される合成画像（１つ又は複数）は他の選ばれた視角において可視となる。このようにして、合成画像（１つ又は複数）は、セキュリティ印刷特徴（１つ又は複数）を見えにくくすることも損ねることもないものとなる。
【００２１】
更なる例示的実施形態では、本発明の光学デバイスは、上述の光学デバイス（例えば光学フィルム材料）を基本的に含み、かつその光学デバイスの上及び／又は下に位置する１つ以上の層を必要に応じて含む、レーザマーキングされた光学デバイスであり、ここで、光学デバイスの少なくとも１つの配列又は層、あるいは光学デバイスの上又は下の少なくとも１つの層は、レーザマーキング可能な配列又は層であり、ここで、レーザマーキング可能な配列（１つ又は複数）又は層（１つ又は複数）は、１つ以上のレーザマーキングされた静止２次元（２Ｄ）画像をその上に有する。
【００２２】
本発明は、本発明の光学デバイスから作られたか又は本発明の光学デバイスを使用したシート材料及びベースプラットフォーム、並びにそれらの材料から作られた文書を更に提供する。本明細書中で使用される用語「文書」は、紙幣又は貨幣、債券、小切手、トラベラーズチェック、宝くじ券、郵便切手、株券、権利証書などの経済的価値を有する任意の種類の文書、あるいはパスポート、ＩＤカード、運転免許証などの身分証明書、あるいはラベルなどの非セキュア文書を示す。本発明の光学デバイスは、消費財並びに消費財と共に使用される袋又はパッケージと共に使用することも企図される。
【００２３】
そのような一実施形態では、光学デバイスは、ポリマーＩＤカード内に埋め込まれたパッチの形態である。
【００２４】
本発明のその他の特徴及び利点は、以下の詳細な説明及び図面から当業者にとって明らかとなるであろう。特に定義しない限り、本明細書中で使用される全ての技術及び科学用語は、この発明が属する技術分野の当業者によって一般的に理解されるものと同じ意味を有する。本明細書中で言及される全ての出版物、特許出願、特許、及びその他の参照文献は、それらの全体が参照によって本明細書中に援用される。矛盾がある場合は、定義を含めて本明細書が優先される。加えて、材料、方法、及び実施例は例示にすぎず、限定することを意図するものではない。
【００２５】
開示される発明の特定の特徴について、添付の図面を参照して説明する。
【図面の簡単な説明】
【００２６】
【図１】本発明の光学デバイスの一例示的実施形態の画像アイコン配列又は層を形成する方法を示し、いかなる有色素材料も組み込まれる前の光学デバイスの側断面図である。
【図２】本発明の光学デバイスの一例示的実施形態の画像アイコン配列又は層を形成する方法を示し、図１に示す光学デバイスであり、画像アイコン層内の空隙は第１の有色素材料を用いて充填されて示されており、平行光線の形態の入射光が、集光要素配列上にその表面に垂直に当たっている状態で示されている。
【図３】本発明の光学デバイスの一例示的実施形態の画像アイコン配列又は層を形成する方法を示し、図２に示す光学デバイスであり、未硬化の第１の有色素材料は画像アイコン層から除去されており、硬化された第１の有色素材料と元のアイコン構造とのみが後に残されている。
【図４】本発明の光学デバイスの一例示的実施形態の画像アイコン配列又は層を形成する方法を示し、図３に示す光学デバイスであり、再作成された空隙が第２の有色素材料を用いて充填されて示されており、コリメート光が、集光要素配列上に異なる硬化角において当たっている状態で示されている。
【図５】本発明の光学デバイスの一例示的実施形態の画像アイコン配列又は層を形成する方法を示し、図４に示す光学デバイスであり、未硬化の第２の有色素材料は画像アイコン層から除去されており、硬化された第１の及び第２の有色素材料と元のアイコン構造とが後に残されている。
【図６】本発明の光学デバイスの一例示的実施形態の画像アイコン配列又は層を形成する方法を示し、図５に示す光学デバイスであり、再作成された空隙が第３の有色素材料を用いて充填されて示されており、非コリメート（散乱）光が、集光要素配列上に当たっている状態で示されている。
【図７】図１〜図６に示した方法に従って作製された本発明の光学デバイスの例示的実施形態の側断面図である。このデバイスは３つの異なる充填材料を有し、それらのうちの２つは指向性硬化されたものである。
【図８】図７に示す光学デバイスであり、第１の硬化角からデバイスを見ている観察者を示す。
【図９】図７に示す光学デバイスであり、第２の硬化角からデバイスを見ている観察者を示す。
【図１０】図７に示す光学デバイスであり、第３の硬化角からデバイスを見ている観察者を示す。
【発明を実施するための形態】
【００２７】
本発明により、異なる視角から見た場合に色が必要に応じて変化するフリッカー状の光学効果であって、必ずしも光学デバイスの平面上にあるとは限らないフリッカー状の光学効果が生成される。本発明の光学デバイスはレーザ彫刻と組み合わせて使用することができ、それにより少なくとも１つの実施形態において、光学デバイスを通した優れたレーザ彫刻が可能になる。
【００２８】
上述のように、本発明の光学デバイスは、１つ以上の硬化された有色素材料から形成される画像アイコンの少なくとも１つの配列と、画像アイコンの配列（１つ又は複数）の少なくとも一部の、１つ以上の合成画像を形成するために配置される、必要に応じて埋め込まれる集光要素の少なくとも１つの配列とを含み、ここで、有色素材料（１つ又は複数）のうちのいくつか又は全ては、光学デバイスの表面に対する１つ以上の角度（硬化角（１つ又は複数））において、集光要素を通して方向付けられる、コリメート光を使用して硬化されて、指向性硬化された画像アイコンを形成し、ここで、指向性硬化された画像アイコンの合成画像（１つ又は複数）は、硬化角（１つ又は複数）において見ることができ、従って、デバイスの視角が硬化角（１つ又は複数）を通って移動するにつれて視覚的に出現及び消失する、すなわちオン及びオフになる。
【００２９】
合成画像（１つ又は複数）は、反射光又は透過光の中で、硬化角（１つ又は複数）において見られる場合、以下の光学効果のうちの１つ以上を示してもよい。
ｉ．視差直交移動を示す、
ｉｉ．光学デバイスの厚さより奥深くの空間平面上にあるように見える、
ｉｉｉ．光学デバイスの表面の上方の空間平面上にあるように見える、
ｉｖ．デバイスが方位角方向に回転される場合に、光学デバイスの厚さより奥深くの空間平面と、光学デバイスの表面の上方の空間平面との間で振れる、
ｖ．複雑な３次元構造、パターン、移動、又はアニメーションを示す、及び／又は
ｖｉ．出現及び消失する面内画像、静止したままだが全体を通して移動する動的な色の帯を有する面内画像、又は全体を通して移動する動的な色の帯を有して動く面内画像を有する。
【００３０】
スティーンブリク（Ｓｔｅｅｎｂｌｉｋ）らの国際出願ＰＣＴ／ＵＳ２００４／０３９３１５号明細書に記載されているように、画像の倍率又は合成倍率の大きさ、及び上述の視覚効果は、集光要素（例えばレンズ）及び画像アイコンの配列（例えばアレイ）の間の「スキュー」の程度と、２つのアレイの相対的スケールと、集光要素又はレンズのｆ値とに依存し、ｆ値は、レンズの焦点距離（ｆ）をレンズの有効最大直径（Ｄ）で割ることによって得られる商と定義される。
【００３１】
スティーンブリク（Ｓｔｅｅｎｂｌｉｋ）らの国際出願ＰＣＴ／ＵＳ２００４／０３９３１５号明細書にやはり記載されているように、視差直交効果は、集光要素及び画像アイコンの対称軸がずれている場合に、実質的に１．００００に等しい「縮尺比率（ｓｃａｌｅ  ｒａｔｉｏ）」（すなわち集光要素又はレンズの反復比率に対する画像アイコンの反復周期の比率）によりもたらされる。本発明の光学デバイスの厚さより奥深くの空間平面上にあるという外観は、集光要素及び画像アイコンの対称軸が実質的に位置合わせされている場合に、１．００００未満の「縮尺比率」によりもたらされ、本発明のデバイスの表面の上方の空間平面上にあるという外観は、集光要素及び画像アイコンの対称軸が実質的に位置合わせされている場合に、１．００００より大きな「縮尺比率」によりもたらされる。デバイスが方位角方向に回転される場合に、光学デバイスの厚さより奥深くの空間平面と、光学デバイスの表面の上方の空間平面との間で振れるという外観は、軸非対称的な縮尺比率の値（例えば、Ｘ方向に０．９９５及びＹ方向に１．００５）によりもたらされる。
【００３２】
１つ以上の硬化された有色素材料を使用して作製される、本発明の実施において使用される画像アイコンは、本発明の光学デバイスの表面上又は表面内の、柱の形態あるいは空隙又は凹部の形態で作られてもよい。柱は、硬化された有色素材料（１つ又は複数）から作製されてもよく、あるいは、柱又は空隙又は凹部を取り囲む領域は、有色素材料（１つ又は複数）を用いてコーティングされるか又は部分的に又は完全に充填されてもよい。アイコンのサイズ、形態、及び形状は限定されないが、これらの隆起した又は凹状のアイコンは、視覚的に検出可能な、及び場合によっては機械検出又は機械読み取りが可能な、例えば、ポジ又はネガの記号、文字、及び／又は数字の形態又は形状を取ってもよい。それらはまた、３次元効果を提供する浅浮き彫り構造を構成してもよく、あるいは、ライン、ドット、スワール、又はこれらの組み合わせの形態を取ってもよい複数の離間された、隆起した又は凹状のアイコンによって形成される、複合画像又はモザイク状画像を構成してもよい。企図される一実施形態では、本発明の実施において使用される画像アイコンは、約０．５ミクロン〜約８ミクロンの範囲の高さ又は凹部深さを有する隆起した又は凹状のアイコンである。
【００３３】
上述のように、本発明のデバイス内の画像アイコンの１つの配列又は層内で、２つ以上のタイプの画像アイコン（例えば、マイクロサイズ及びナノサイズの画像アイコン）が互いに整合された実施形態が企図される。これらの実施形態のために、好ましい硬化の形態が必要とされる。本発明によって企図される好ましい硬化の一形態は、充填の差分溶解（ｄｉｆｆｅｒｅｎｔｉａｌ  ｄｉｓｓｏｌｕｔｉｏｎ）であり、これは異なるサイズの構造、及び異なる溶解度の充填を利用して達成され得る。これは、単一の層上で様々な組成を有する様々な構造を製造するために、コリメート硬化（ｃｏｌｌｉｍａｔｅｄ  ｃｕｒｉｎｇ）と組み合わせられてもよい。コリメート硬化はまた、多機能のマイクロサイズ及び／又はナノサイズの画像アイコンのそのような単一の層を製造するための手段として、単独で使用されてもよい。
【００３４】
本発明における使用が企図される有色素材料としては、有色素樹脂及びインクが挙げられるが、これらに限定されない。例示的実施形態では、サンケミカルコーポレーション（Ｓｕｎ  Ｃｈｅｍｉｃａｌ  Ｃｏｒｐｏｒａｔｉｏｎ）から製品名「スペクトラパック（Ｓｐｅｃｔｒａ  Ｐａｃ）」として入手可能な、顔料分散の形態のサブミクロン顔料が使用される。本発明における使用に適した硬化性有色素材料を実現するために、この顔料分散に他の硬化性（例えば紫外線（ＵＶ）硬化性）材料及び光開始剤が追加される。結果として得られる硬化性有色素材料は、次に、柱を作製するために、あるいは空隙（又は凹部）を充填するため及び／又は柱を取り囲む領域を充填するために使用される。
【００３５】
本発明の実施において使用される必要に応じて埋め込まれる集光要素としては、屈折性集光要素、反射性集光要素、ハイブリッド屈折性／反射性集光要素、及びこれらの組み合わせが挙げられるが、これらに限定されない。企図される一実施形態では、集光要素は屈折性マイクロレンズである。好適な集光要素の例は、スティーンブリク（Ｓｔｅｅｎｂｌｉｋ）らの米国特許第７，３３３，２６８号明細書、スティーンブリク（Ｓｔｅｅｎｂｌｉｋ）らの米国特許第７，４６８，８４２号明細書、及びスティーンブリク（Ｓｔｅｅｎｂｌｉｋ）らの米国特許第７，７３８，１７５号明細書において開示されており、当該特許の全ては本明細書中に完全に記載されたかのように参照によって本明細書中に完全に援用される。
【００３６】
集光要素の実施形態は、光学的劣化をもたらす外部効果に対する本発明の光学デバイスの耐性を向上させる働きをする。そのような一実施形態では、本発明のデバイスの外表面から屈折界面までの屈折率は、第１の屈折率と第２の屈折率との間で変化し、第１の屈折率は第２の屈折率と実質的に又は測定可能な程度に異なる。本明細書中で使用する語句「実質的に又は測定可能な程度に異なる」は、集光要素の焦点距離（１つ又は複数）を少なくとも約０．１ミクロン変化させる屈折率の差を意味する。
【００３７】
埋め込み材料は、透明、半透明、薄色、又は有色素であってもよく、かつ、光学効果、導電率又は静電容量、磁場検出に依存する、自動貨幣認証、検証、追跡、計数、及び検出システムのサポートを含むセキュリティ及び認証目的のための追加機能を提供してもよい。好適な材料としては、接着剤、ジェル、グルー、ラッカー、液体、成形ポリマー、並びに、有機又は金属分散を含むポリマー又はその他の材料が挙げられ得る。
【００３８】
本発明の光学デバイスは、集光要素がマイクロレンズであり画像アイコンの配列（１つ又は複数）内の各画像アイコンが１つの硬化された有色素材料から形成される例示的実施形態において、（ａ）実質的に透明な又はクリアな放射線硬化性樹脂を、光学スペーサ又はスペーサ層の上表面及び下表面に塗布し、（ｂ）マイクロレンズアレイを光学スペーサの上表面上に、並びに、空隙（又は凹部）及び／又は柱の形態のアイコンアレイを光学スペーサの下表面上に形成し、（ｃ）放射線源を使用して実質的に透明な又はクリアな樹脂を硬化させ、（ｄ）１つ以上の有色素材料を用いてアイコンアレイ凹部を充填し、かつ／又は柱を取り囲む領域を充填し、（ｅ）光学スペーサの下表面から余分な有色素材料（１つ又は複数）を除去し、（ｆ）有色素材料（１つ又は複数）のうちのいくつか又は全てを、光学デバイスの表面に対する１つ以上の角度において、集光要素を通してアイコン層に向けて方向付けられる、コリメート（平行にされた）光を使用して硬化させることによって作製されてもよい。
【００３９】
有色素材料（１つ又は複数）の硬化は、結果としてもたらされるアレイに当たる光が有色素材料（１つ又は複数）の硬化を引き起こすように、コリメート光源からのコリメート光を、マイクロレンズアレイを通してアイコンアレイに向けて方向付けることを含む。好適なコリメート光源としては、レーザ光、１つ以上のコリメーティングレンズを通し狭いスリットを通して放物面反射体に向けて方向付けられる光（例えば、太陽光、ＵＶ光、赤外（ＩＲ）光）、ＬＥＤのアレイなどのより指向性のある源からの光、又はこれらの組み合わせが挙げられる。企図される一実施形態では、コリメート光源はＵＶリソグラフィ露光ユニットである。
【００４０】
次に図面を詳細に参照すると、図１〜図６は、本発明の光学デバイスの一例示的実施形態の画像アイコン配列又は層を形成する方法を示す。図１では、いかなる有色素材料も組み込まれる前の光学デバイスの側断面図が１０において一般に示されている。デバイス１０は基本的に、
（ａ）集光要素の配列１２と、
（ｂ）ベースフィルム又は光学スペーサ１４と、
（ｃ）実質的に透明な又はクリアな放射線硬化性樹脂１８から、アイコン凹部又は空隙２０を中に有して作製された、部分的に形成された画像アイコン層（すなわち、元のアイコン構造）１６と、を含む。
【００４１】
図２に示す、画像アイコン配列又は層を形成する方法の第１のステップにおいて、空隙２０は第１の有色素材料２２を用いて充填される。平行光線の形態の入射光２４が、集光要素配列１２の表面に垂直に当たる。言い換えると、平行光線はゼロに等しい角度で入ってくる。各集光要素はそのそれぞれの入射光を画像アイコン配列又は層上に集光し、集光要素の概して焦点距離において集光が発生する。焦点に非常に近い充填された空隙の領域が硬化される。焦点に近くない充填された空隙の領域は硬化されない。
【００４２】
未硬化の第１の有色素材料２２は次に除去され（例えば洗浄除去され）、図３に最も良く示されているように、硬化された第１の有色素材料２６と元のアイコン構造１６とのみが後に残される。このステップにより、画像アイコン配列又は層内に空隙２０が再作成される。
【００４３】
次のステップにおいて、再作成された空隙２０が第２の有色素材料２８を用いて充填される。異なる硬化角が選択され、その角度から来るコリメート光３０が生成される。図４に示すように、この硬化角はデバイス１０の表面の右上から来るものである。コリメート光３０は全て平行光線からなる。前述同様に、空隙２０のうちのいくらかは集光要素の焦点に非常に近く、それらのゾーン内の第２の有色素材料２８が硬化される。有色素材料２８のうちのいくらかは焦点に近くないため露光されず、従って未硬化のままとなる。
【００４４】
未硬化の第２の有色素材料２８は次に除去され、図５に最も良く示されているように、硬化された第１の有色素材料２６と硬化された第２の有色素材料３２と元のアイコン構造１６とが後に残される。再びこのステップにより、画像アイコン配列又は層内に空隙２０が再作成される。
【００４５】
次のステップにおいて、再作成された空隙２０が第３の有色素材料３４を用いて充填される。図６に示すように、材料は非コリメート（散乱）光３６を使用して硬化される。結果として、集光要素による効果的な集光はなく、アイコン層全体が露光される。実際上、これにより第３の有色素材料３４の全てが硬化されることが保証される。
【００４６】
有色素充填材料を用いて空隙を充填することを含む方法ステップのうちの１つ以上は、レーザ光を吸収しないように設計された無着色材料（ｕｎｐｉｇｍｅｎｔｅｄ  ｍａｔｅｒｉａｌ）を使用して実行されてもよい。これにより「空きの（ｖａｃａｎｔ）」アイコン空間が設けられ、この利点については以下で更に説明する。
【００４７】
この方法に従って作製される光学デバイスは図７に示されており、参照番号１００が付されている。この場合、３つの異なる硬化された有色素材料２６、３２、３８（硬化された第３の有色素材料）が存在し、それらのうちの２つ（２６、３２）は指向性硬化されたものである。
【００４８】
次に図８を参照すると、第１の硬化角からデバイス１００を見ている観察者は、硬化された第１の有色素材料２６と関連付けられた合成画像（１つ又は複数）を視認する。図８〜図１０において、観察者は、図８の集光要素のそれぞれに対する観察者の実効的な角度が例えば第１の硬化角に等しいように、デバイスから「非常に遠く離れて」いる。硬化された第１の有色素材料２６と関連付けられた合成画像（１つ又は複数）は、第１の硬化角のみから可視である。
【００４９】
第２の硬化角からデバイスを見ている観察者は（図９を参照）、硬化された第２の有色素材料３２と関連付けられた合成画像（１つ又は複数）を視認する。この合成画像（１つ又は複数）は、第２の硬化角のみから可視である。
【００５０】
それらの硬化角のうちの１つではない角度からデバイスを見る観察者は（図１０を参照）、硬化された第３の有色素材料３８と関連付けられた合成画像（１つ又は複数）を視認する。この合成画像（１つ又は複数）は、第１の硬化角にも第２の硬化角にも等しくない任意の角度から可視である。いくつかの場合、特に光学デバイス又はシステムが大きなｆ値を有する場合、観察者は高角（すなわち「垂直な（ｎｏｒｍａｌ）」角度から遠い角度）からデバイスを見ることができる。視角が十分高くなるにつれて、集光要素を通る視線により、隣接する集光要素の下の画像アイコンが視認され始める。このタイプの状況では、観察者は、特定の硬化角以外の角度において、特定の硬化角と関連付けられた１つ以上の合成画像を視認する可能性がある。
【００５１】
光学スペーサ又はスペーサ層は、以下に限定されないが、ポリカーボネート、ポリエステル、ポリエチレン、ポリエチレンナフタレート、ポリエチレンテレフタレート、ポリプロピレン、ポリ塩化ビニリデンなどの、１つ以上の本質的に透明又は半透明のポリマーを使用して形成されてもよい。例示的実施形態では、光学スペーサ又はスペーサ層は、ポリエステル又はポリエチレンテレフタレートを使用して形成される。
【００５２】
上記の例示的実施形態では光学スペーサ又はスペーサ層の使用について言及したが、本発明の光学デバイスは光学スペーサ又はスペーサ層なしで作製されてもよいということに留意されたい。
【００５３】
好適な放射線硬化性樹脂としては、アクリル樹脂、エポキシ、ポリエステル、アクリル化ポリエステル、ポリプロピレン、ウレタン、アクリル化ウレタンなどが挙げられるが、これらに限定されない。好ましくは、アレイは、ロードケミカルズ（Ｌｏｒｄ  Ｃｈｅｍｉｃａｌｓ）から入手可能なアクリル化ウレタンを使用して形成される。
【００５４】
前述のように、２つ以上の有色素材料から形成される画像アイコンは、各材料をコリメート光を用いて硬化させることによって、又は１つの材料をコリメート光を用いて硬化させ、別の材料を別の硬化手段（例えば、放射線硬化、化学反応）を用いて硬化させることによって作製されてもよい。そのような指向性硬化された有色素材料（１つ又は複数）から形成された画像アイコンの合成画像は、硬化角（１つ又は複数）において見ることができ、非指向性硬化された有色素材料から形成された画像アイコンの合成画像は、広い角度範囲にわたって見ることができる。本発明の実施において使用される画像アイコンの配列（１つ又は複数）は、非指向性硬化された有色素材料から全体が形成された従来技術の画像アイコンも含んでもよいということに留意されたい。
【００５５】
そのような一例示的実施形態では、画像アイコンの配列（１つ又は複数）内の各画像アイコンは、それぞれが異なる色を有する２つの硬化された有色素材料から形成される。ここで、各有色素材料は、他の有色素材料を硬化させるために使用される角度とは異なる角度におけるコリメート光を使用し、集光要素を通して硬化される。特に、この例示的実施形態は、色付き有色素材料を１つの角度からのコリメート光を使用して硬化させ、未硬化の有色素材料をデバイスから洗浄し、次に第２の色付き有色素材料を追加し、異なる角度においてそれを硬化させることによって製造されてもよい。結果として得られる光学デバイスは、第１の硬化角において見ることができる第１の色の合成画像（１つ又は複数）と、第２の硬化角において見ることができる第２の色の合成画像（１つ又は複数）とを投影する。容易に理解されるように、多数の異なる色の有色素材料がこのようにして追加されてもよい。加えて、角度硬化（ａｎｇｕｌａｒ  ｃｕｒｉｎｇ）のためにまだ使用されていない任意の角度から視認可能な「背景色」を提供するために、コリメート光を使用せずに硬化される別の異なる色の有色素材料が追加される。
【００５６】
別のそのような例示的実施形態では、画像アイコンの配列（１つ又は複数）内の各画像アイコンは、１つの硬化された蛍光有色素材料から、及び１つの硬化された非蛍光有色素材料から形成される。ここで、所与の角度においてのみ検出可能であり別の所与の角度においては検出可能ではない蛍光特徴は、効果的な機械読み取り可能認証特徴として働き得る。
【００５７】
本発明の更なる例示的実施形態では、光学デバイスは、上述の光学デバイスを基本的に含み、かつその光学デバイスの上及び／又は下に位置する１つ以上の層を必要に応じて含む、レーザマーキング可能な光学デバイスであり、ここで、光学デバイスの少なくとも１つの配列又は層、あるいは光学デバイスの上又は下の少なくとも１つの層は、レーザマーキング可能な配列又は層である。
【００５８】
本明細書中で使用される用語「レーザマーキング可能な」又はその任意の変形は、以下に限定されないが、炭化、彫刻、変色を伴う又は伴わない彫刻、表面炭化を伴う彫刻、変色又は内部黒化、コーティング除去によるレーザマーキング、アブレーション、漂白、融解、膨張、及び蒸発などの、レーザによって誘導又は形成される物理的又は化学的変更が可能であることを意味することが意図されている。
【００５９】
好ましい実施形態では、本発明のレーザマーキング可能な光学デバイスは、
（ａ）必要に応じて埋め込まれた集光要素（例えば、埋め込まれた屈折性集光要素）の配列と、光学スペーサとしても機能するレーザマーキング可能な層によって分離された画像アイコンの配列、及び／又は、
（ｂ）光学デバイスの下に位置する１つ以上のレーザマーキング可能な層
を有する。
【００６０】
埋め込みレンズ及びその他のＩＤ製品（例えば、ポリマーＩＤカード内に埋め込まれるパッチ）において使用されてもよい、上記の好ましい実施形態において、静止２次元（２Ｄ）画像の形態のパーソナライズデータが、コリメート硬化エネルギーが印加された角度（１つ又は複数）とは異なる角度において、光学デバイス内に又は光学デバイスの下にレーザ彫刻される。
【００６１】
１つ以上のレーザマーキング可能な層が光学デバイスの下に位置する後者の実施形態において、画像アイコンの配列は「空きの」アイコン空間を含む。前述のように、「空きの」アイコン空間は、レーザ光を吸収しないように設計された無着色材料（１つ又は複数）（例えばＵＶ硬化性混合物）を使用して作製される。この実施形態における無着色材料（１つ又は複数）は、静止２次元画像を書き込むためにレーザ彫刻機が使用するのと同じ角度において指向性硬化される。画像アイコンの配列内のアイコン凹部又は空隙のうちの残りは、無着色材料（１つ又は複数）を硬化するために使用された角度以外の角度において硬化される有色素材料を用いて充填される。
【００６２】
この実施形態によって、レーザエネルギーは、光学デバイスによって吸収されるレーザエネルギーがほとんどなしに、光学デバイスを通過することを許可され、それにより光学デバイスを通した優れたレーザ彫刻が提供される。
【００６３】
本願発明者らは、光学デバイスを通したレーザ彫刻を試みる際に特定の有色素材料がレーザエネルギーを吸収する、ということを発見した。結果として得られるのは、白い又は欠けている領域を有する不完全にレーザマーキングされた暗い画像である。この問題は、どの顔料を使用するかを慎重に選択することによって、又は上述の「空きの」アイコン空間を採用することによって回避することが可能である。当業者によって容易に理解されるように、「空きの」アイコン空間の使用により、不完全にレーザマーキングされた暗い画像を形成するリスクを伴わずに任意の顔料を使用することが可能になる。
【００６４】
上述の実施形態の最終的な効果は、色付きの有色素合成画像（１つ又は複数）は、静止２Ｄレーザ彫刻画像（１つ又は複数）が可視であるのと同じ角度においては可視ではないということである。これは、集光要素がレーザ彫刻機からのレーザを集光する傾向がある領域内に顔料が存在せず、有色素材料（１つ又は複数）がレーザエネルギーを吸収するリスクが回避される、ということを意味している。
【００６５】
上記で触れたように、本発明のレーザマーキング可能な光学デバイスにマーキングするために、彫刻レーザからの光エネルギーは集光要素によって集光され、彫刻する角度のみから見ることができる画像がレーザマーキング可能な層内に形成されるような手法で、レーザマーキング可能な層を彫刻する。この技法により、出現及び消失するようにされ得る動的なパーソナライズ画像を用いた、本発明のデバイスのより多くのカスタマイズが可能となる。複数のレーザマーキング角度が同じデバイス内で使用されてもよく、それにより、複数の画像であってそれらのそれぞれは異なる視角から観察可能な複数の画像が提供される。このようにして、短いアニメーション又は変化する画像が、パーソナライズされた手法で作られ得る。例として、そのようなデバイスがＩＤ文書上で、又はＩＤ文書と組み合わせて使用される場合、ＩＤ文書のために使用されるポートレートの小さなバージョンがオン及びオフにされてもよい。本発明のデバイスによって表示されるこの動的なポートレートは、そのＩＤ文書に固有であり、文書のセキュリティが向上する。
【００６６】
結果として得られるレーザマーキングされた光学デバイスは、レーザマーキング可能な層（１つ又は複数）上に１つ以上のレーザマーキングされた静止２Ｄ画像を有する。ここで、用語「レーザマーキングされた」又はその任意の変形は、レーザ又はレーザに類似の装置によって形成された任意のマーキングを担持するか又は表示することを意味することが意図されている。
【００６７】
好適なレーザマーキング可能な層は、熱可塑性ポリマーを使用して作製されてもよい。第１のカテゴリでは、良好な吸収性及び炭化性を有する熱可塑性ポリマーが使用されてもよい。これらのポリマーは、使用されるレーザの波長における光を吸収しそれを熱に変換する化合物であるいわゆるレーザ添加物なしで、レーザマーキング可能である。レーザに露光された領域内に甚大な黒化をもたらすこれらのポリマーの例としては、ポリエーテルスルホン（ＰＥＳ）、ポリスルホン（ＰＳＵ）、ポリカーボネート（ＰＣ）、及びポリフェニレンスルフィド（ＰＰＳ）が挙げられる。第２のカテゴリでは、レーザ添加物（例えば、顔料又は特別な添加物）を有する熱可塑性ポリマーが使用されてもよい。均一に、かつ良好な品質を有してマーキングされ得るこれらのポリマーの例としては、ポリスチレン（ＰＳ）、スチレンアクリロニトリル（ＳＡＮ）、アクリロニトリルブタジエンスチレン（ＡＢＳ）、ＰＥＴ、ＰＥＴＧ、ポリブチレンテレフタレート（ＰＢＴ）、及びポリエチレンが挙げられる。これらのレーザ添加物の例としては、カーボンブラック、アンチモン金属、酸化アンチモン、錫−アンチモン混合酸化物、燐を含有する混合酸化物であって鉄、銅、錫、及び／又はアンチモンの混合酸化物、マイカ（層状珪酸塩）であって金属酸化物でコーティングされたマイカ（層状珪酸塩）、が挙げられる。レーザマーキング可能な層は、約５ミクロン〜約５００ミクロンの範囲の、より好ましくは約２５ミクロン〜約２００ミクロンの範囲の、好ましい厚さを有する。
【００６８】
好ましいレーザマーキング技術では、１０ワット、Ｑスイッチ、１０６４ナノメートル（ｎｍ）のＶ−Ｌａｓｅレーザマーキングシステムが、本発明のレーザマーキング可能なデバイスにマーキングするために使用され、このレーザマーキングシステムは３０，０００ヘルツ（Ｈｚ）の設定においてレーザ発光を行う。このレーザマーキングシステムは、最大出力の８０％に、及び２００ミリメートル／秒（ｍｍ／ｓｅｃ）の走査速度に設定される。これらの設定により、本発明のレーザマーキング可能なデバイス内の所望の位置において、焼損も過度の露光もなしに高コントラストのマーキングが生成される。
【００６９】
上記で触れたように、本発明は、本発明の光学デバイスから作られたか又はそれを使用したシート材料及びベースプラットフォーム、並びにそれらの材料から作られた文書も提供する。本発明の光学デバイスは、消費財並びに消費財と共に使用される袋又はパッケージと共に使用することも企図される。
【００７０】
例として、本発明の光学デバイスは、認証の目的のために、任意の紙幣、セキュア文書又は製品と共に、様々な異なる形態（例えば、ストリップ、パッチ、セキュリティスレッド、プランシェット）で利用可能である。紙幣及びセキュア文書に関しては、これらの材料は一般にストリップ、パッチ、又はスレッドの形態で使用され、紙幣又は文書内に部分的に埋め込まれるか又はその表面に貼付され得る。パスポート又はその他のＩＤ文書に関しては、これらの材料は、パスポート又はその他のＩＤ文書の表面の全面ラミネート又はインレーとして使用され得る。製品パッケージに関しては、これらの材料は一般にラベル、シール、又はテープの形態で使用され、製品パッケージの表面に貼付される。上述のように、一例示的実施形態では、光学デバイスは、ポリマーＩＤカード内に埋め込まれたパッチの形態である。
【００７１】
本発明の様々な実施形態について上述したが、それらは限定としてではなく例として示したものにすぎないということを理解されたい。従って、本発明の広さ及び範囲はいずれの例示的実施形態によっても限定されるべきではない。
【図１】
2020052401.tif 000003
【図２】
2020052401.tif 000004
【図３】
2020052401.tif 000005
【図４】
2020052401.tif 000006
【図５】
2020052401.tif 000007
【図６】
2020052401.tif 000008
【図７】
2020052401.tif 000009
【図８】
2020052401.tif 000010
【図９】
2020052401.tif 000011
【図１０】
2020052401.tif 000012
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
フリッカー状の光学効果を生成する光学デバイスであって、
前記光学デバイスは、画像アイコンの少なくとも１つの配列と共に、実質的に透明な又はクリアな放射線硬化性樹脂から作製されたアイコン層を備え、前記画像アイコンは、前記実質的に透明な又はクリアな放射線硬化性樹脂に形成された空隙又は柱を備え、前記画像アイコンは、１つ以上の硬化された有色素材料を用いて充填され又は前記有色素材料から形成され、
前記光学デバイスは、前記画像アイコンの前記少なくとも１つの配列の少なくとも一部の、１つ以上の合成的に拡大された画像を形成するために配置される、埋め込まれる集光要素の少なくとも１つの配列を備え、
前記１つ以上の有色素材料のうちのいくつか又は全ては、前記光学デバイスの表面に対する１つ以上の角度において、前記集光要素を通して方向付けられる、コリメート光を使用して硬化されて、指向性硬化された画像アイコンを形成し、
前記指向性硬化された画像アイコンの前記１つ以上の合成的に拡大された画像は、１つ以上のコリメート光硬化角において見ることができ、従って、前記光学デバイスの視角がこれらの角度を通って移動するにつれて視覚的に出現及び消失し、オン及びオフになる、光学デバイス。
【請求項２】
前記光学デバイス内の画像アイコンの１つの配列又は層内で、マイクロサイズの画像アイコン及びナノサイズの画像アイコンが互いに整合された、請求項１に記載の光学デバイス。
【請求項３】
画像アイコンの前記少なくとも１つの配列内の各画像アイコンは、１つの硬化された有色素材料から形成され、前記有色素材料は、所与の角度におけるコリメート光を使用して硬化される、請求項１に記載の光学デバイス。
【請求項４】
画像アイコンの前記少なくとも１つの配列内の各画像アイコンは、２つの硬化された有色素材料であって、それぞれが異なる色を有し、それぞれが異なる角度におけるコリメート光を使用して硬化された、２つの硬化された有色素材料から形成される、請求項１に記載の光学デバイス。
【請求項５】
請求項４に記載の前記光学デバイスを製造する方法であって、
色付き有色素材料を１つの角度からのコリメート光を使用して硬化させ、未硬化の有色素材料を前記光学デバイスから洗浄し、次に第２の色付き有色素材料を追加し、異なる角度においてそれを硬化させること、を含む方法。
【請求項６】
画像アイコンの前記少なくとも１つの配列内の各画像アイコンは、１つの硬化された蛍光有色素材料から、及び１つの硬化された非蛍光有色素材料から形成される、請求項１に記載の光学デバイス。
【請求項７】
請求項１に記載の前記光学デバイスを備え、かつ前記光学デバイスの上及び下のうちの少なくとも一方に位置する１つ以上の層を必要に応じて備え、
前記光学デバイスの少なくとも１つの配列又は層、あるいは前記光学デバイスの上又は下の少なくとも１つの層は、レーザマーキング可能な配列又は層である、レーザマーキング可能な光学デバイス。
【請求項８】
前記レーザマーキング可能な光学デバイスは、レーザマーキング可能な層である少なくとも１つの層を前記光学デバイスの下に有し、
前記光学デバイスの画像アイコンの前記少なくとも１つの配列は、１つ以上の硬化された有色素材料と、１つ以上の硬化された無着色材料とから形成される、請求項７に記載のレーザマーキング可能な光学デバイス。
【請求項９】
請求項１に記載の前記光学デバイスを備え、かつ前記光学デバイスの上及び下のうちの少なくとも一方に位置する１つ以上の層を必要に応じて備え、
前記光学デバイスの少なくとも１つの配列又は層、あるいは前記光学デバイスの上又は下の少なくとも１つの層は、レーザマーキング可能な配列又は層であり、
少なくとも１つのレーザマーキング可能な配列又は層は、１つ以上のレーザマーキングされた静止２次元画像をその上に有する、レーザマーキングされた光学デバイス。
【請求項１０】
前記レーザマーキングされた光学デバイスは、レーザマーキング可能な層である少なくとも１つの層を前記光学デバイスの下に有し、
前記光学デバイスの画像アイコンの前記少なくとも１つの配列は、１つ以上の硬化された有色素材料と、１つ以上の硬化された無着色材料とから形成される、請求項９に記載のレーザマーキングされた光学デバイス。
【請求項１１】
コリメート硬化エネルギーが印加された１つ又は複数の角度とは異なる角度において、前記光学デバイス内に又は前記光学デバイスの下にレーザエネルギーを方向付けることを含む、請求項８に記載の前記レーザマーキング可能な光学デバイスをレーザマーキングする方法。
【請求項１２】
請求項１に記載の前記光学デバイスから作られたか又は請求項１に記載の前記光学デバイスを使用した、シート材料。
【請求項１３】
請求項１２に記載の前記シート材料から作られた、文書。
【請求項１４】
請求項１に記載の前記光学デバイスから作られたか又は請求項１に記載の前記光学デバイスを使用した、ベースプラットフォーム。
【請求項１５】
請求項１４に記載の前記ベースプラットフォームから作られた、文書。
【請求項１６】
ポリマーＩＤカードであって、請求項１に記載の前記光学デバイスを、前記ポリマーＩＤカード内に埋め込まれたパッチの形態で備える、ポリマーＩＤカード。